(57)【特許請求の範囲】
【請求項１】
使用済みイオン交換樹脂を細粒化する使用済みイオン交換樹脂の処理方法において、
前記使用済みイオン交換樹脂を処理タンクに注入する注入工程と、
前記処理タンクに蓄えられた前記使用済みイオン交換樹脂を攪拌する攪拌工程と、
前記処理タンクから前記使用済イオン交換樹脂を受け取ってエマルジョン化することによって前記使用済みイオン交換樹脂の粒子径を小さくする乳化分散工程と、
前記乳化分散工程でエマルジョン化された前記使用済みイオン交換樹脂を貯蔵タンクに排出する排出工程と、
を有することを特徴とするイオン交換樹脂の処理方法。
【請求項２】
前記処理タンクに蓄えられた前記使用済みイオン交換樹脂を所定の温度以下に保つ温度保持工程を有することを特徴とする請求項１記載のイオン交換樹脂の処理方法。
【請求項３】
前記乳化分散工程でエマルジョン化された前記使用済みイオン交換樹脂を再び前記処理タンクに注入する再注入工程を有することを特徴とする請求項１または請求項２記載のイオン交換樹脂の処理方法。
【請求項４】
前記乳化分散工程でエマルジョン化された前記使用済みイオン交換樹脂を前記貯蔵タンクに排出する前に酸化分解する酸化分解工程を有することを特徴とする請求項１ないし請求項３いずれか記載のイオン交換樹脂の処理方法。
【請求項５】
使用済みイオン交換樹脂を細粒化するイオン交換樹脂細粒化システムにおいて、
処理タンクと、
前記使用済みイオン交換樹脂を前記処理タンクに注入する注入配管と、
前記処理タンクに蓄えられた前記使用済みイオン交換樹脂を攪拌する攪拌機と、
前記処理タンクから前記使用済イオン交換樹脂を受け取ってエマルジョン化することによって前記使用済みイオン交換樹脂の粒子径を小さくする乳化分散機と、
前記乳化分散機でエマルジョン化された前記使用済みイオン交換樹脂を貯蔵タンクに排出する排出配管と、
を有することを特徴とするイオン交換樹脂細粒化システム。
【請求項６】
前記処理タンクに蓄えられた前記使用済みイオン交換樹脂を所定の温度以下に保つ冷却手段を有することを特徴とする請求項５記載のイオン交換樹脂細粒化システム。
【請求項７】
前記乳化分散機でエマルジョン化された前記使用済みイオン交換樹脂を再び前記処理タンクに注入する再注入配管を有することを特徴とする請求項５または請求項６記載のイオン交換樹脂細粒化システム。
【請求項８】
前記乳化分散機でエマルジョン化された前記使用済みイオン交換樹脂を前記貯蔵タンクに排出する前に酸化分解する酸化分解機を有することを特徴とする請求項５ないし請求項７いずれか記載のイオン交換樹脂細粒化システム。
【請求項９】
原子力発電所内で行われる除染工事に用いられる除染装置において、
イオン交換樹脂が充填されている脱塩装置と、
処理タンク、前記脱塩装置から取り出された使用済みイオン交換樹脂を前記処理タンクに注入する注入配管、前記処理タンクに蓄えられた前記使用済みイオン交換樹脂を攪拌する攪拌機、および、前記処理タンクから前記使用済イオン交換樹脂を受け取ってエマルジョン化することによって前記使用済みイオン交換樹脂の粒子径を小さくする乳化分散機を備えて、前記使用済みイオン交換樹脂を細粒化するイオン交換樹脂細粒化システムと、
前記イオン交換樹脂細粒化システムから前記使用済みイオン交換樹脂を貯蔵する貯蔵タンクに延びる排出配管と、
を有することを特徴とする除染装置。
【請求項１０】
原子力発電所において、
原子炉と、
前記原子炉で発生した蒸気によって駆動される発電タービンと、
前記発電タービンを駆動した前記蒸気を、前記原子炉に供給される冷却水へと凝縮する復水器と、
イオン交換樹脂が充填されていて前記冷却水を浄化する水処理手段と、
処理タンク、前記水処理手段から取り出された使用済みイオン交換樹脂を前記処理タンクに注入する注入配管、前記処理タンクに蓄えられた前記使用済みイオン交換樹脂を攪拌する攪拌機、および、前記処理タンクから前記使用済イオン交換樹脂を受け取ってエマルジョン化することによって前記使用済みイオン交換樹脂の粒子径を小さくする乳化分散機を備えて、前記使用済みイオン交換樹脂を細粒化するイオン交換樹脂細粒化システムと、
前記イオン交換樹脂細粒化システムから前記使用済みイオン交換樹脂を貯蔵する貯蔵タンクに延びる排出配管と、
を有することを特徴とする原子力発電所。
【請求項１１】
イオン交換樹脂を充填した既存の脱塩装置、および、前記脱塩装置から取り出される使用済みイオン交換樹脂を貯蔵する貯蔵タンクに前記脱塩装置から延びる既存の排出配管を備えた除染装置の改造方法において、
前記排出配管の一部を切断する工程と、
処理タンク、前記使用済みイオン交換樹脂を前記処理タンクに注入する注入配管、前記処理タンクに蓄えられた前記使用済みイオン交換樹脂を攪拌する攪拌機、および、前記処理タンクから前記使用済イオン交換樹脂を受け取ってエマルジョン化することによって前記使用済みイオン交換樹脂の粒子径を小さくする乳化分散機とを備えて、前記使用済みイオン交換樹脂を細粒化するイオン交換樹脂細粒化システムを設置する工程と、
切断された前記排出配管の前記脱塩装置側に前記注入配管を接続する工程と、
切断された前記排出配管の前記貯蔵タンク側に前記乳化分散機を接続する工程と、
を有することを特徴とする除染装置の改造方法。
【請求項１２】
イオン交換樹脂が充填されて原子炉の冷却水を浄化する既存の水処理手段、および、前記脱塩装置から取り出される使用済みイオン交換樹脂を貯蔵する貯蔵タンクに前記脱塩装置から延びる既存の排出配管を備えた原子力発電所の改造方法において、
前記排出配管の一部を切断する工程と、
処理タンク、前記使用済みイオン交換樹脂を前記処理タンクに注入する注入配管、前記処理タンクに蓄えられた前記使用済みイオン交換樹脂を攪拌する攪拌機、および、前記処理タンクから前記使用済イオン交換樹脂を受け取ってエマルジョン化することによって前記使用済みイオン交換樹脂の粒子径を小さくする乳化分散機とを備えて、前記使用済みイオン交換樹脂を細粒化するイオン交換樹脂細粒化システムを設置する工程と、
切断された前記排出配管の前記水処理手段側に前記注入配管を接続する工程と、
切断された前記排出配管の前記貯蔵タンク側に前記乳化分散機を接続する工程と、
を有することを特徴とする原子力発電所の改造方法。
【発明の詳細な説明】
【技術分野】
【０００１】
本発明は、イオン交換樹脂の処理方法、イオン交換樹脂細粒化システム、除染装置、原子力発電所、除染装置の改造方法、および、原子力発電所の改造方法に関する。
【背景技術】
【０００２】
原子力発電所の原子炉をはじめとする機器は、蓄積した放射性物質を除去するために除染工事が必要となる。この除染工事に使用する除染装置には、溶解金属イオンや除染剤の回収を目的として粒状イオン交換樹脂を充填した脱塩装置が付帯している。除染工事が終了すると粒状イオン交換樹脂は脱塩装置から抜き出され、放射性の使用済み粒状イオン交換樹脂として専用の貯蔵用タンクに移送される。タンクに移送された使用済み粒状イオン交換樹脂は最終の処理が行われるまで長期にわたり貯蔵される。
【０００３】
また、原子力発電所においては、種々の水処理装置がありイオン交換樹脂が多用されている。たとえば、復水浄化系に設置された復水脱塩装置には粒状イオン交換樹脂が充填され、復水中のイオン成分の除去が行われている。また、原子炉冷却材浄化系においては、粉末状のイオン交換樹脂を用いて炉水中のクラッド（腐食生成物）とイオン成分の両者の除去を行っている。
【０００４】
粒状イオン交換樹脂にあっては、イオン交換能力がなくなった時点で薬剤（陽イオン交換樹脂は硫酸、陰イオン交換樹脂は水酸化ナトリウム）による再生操作が実施される。再生を繰返すことでイオン交換樹脂はイオンに対する捕集能力が低下し、最終的には脱塩装置から抜き出され専用の貯蔵タンクで保管される。このような使用済みの粒状および粉末状イオン交換樹脂は、その内部にたとえばCo-60といった放射性核種を捕集しているため、放射性物質として取扱われる。
【０００５】
粒状および粉末状イオン交換樹脂は分解などの処理が難しいため、殆どの使用済みイオン交換樹脂は長期間タンクに貯蔵されている。このような使用済みイオン交換樹脂の処理法としては、セメント固化（たとえば特許文献１参照）、灰化（たとえば特許文献２参照）、および超臨界酸化分解（たとえば特許文献３参照）などの方法が知られている。
【０００６】
また、粒状イオン交換樹脂の中間貯蔵または最終貯蔵を可能とするため、粒状イオン交換樹脂を粉砕化して膨潤性を低下させる方法（たとえば特許文献４参照）、均一固化体を製作するために粒状イオン交換樹脂を粉末化する方法（たとえば特許文献５参照）、放射能を帯びた廃イオン交換樹脂を乾燥状態で安定貯蔵するために粉砕化する方法（たとえば特許文献６参照）などが知られている。
【特許文献１】特開平９−５４１９５号公報
【特許文献２】特開平１０−２３２３００号公報
【特許文献３】特開平１０−２０４２０６号公報
【特許文献４】特表２００１−５０９２６８号公報
【特許文献５】特開昭５４−８５２５３号公報
【特許文献６】特開昭６３−２９３００号公報
【発明の開示】
【発明が解決しようとする課題】
【０００７】
原子力発電所の使用済みイオン交換樹脂用貯蔵タンクは大きく２つに分類される。１つは粒状イオン交換樹脂を貯蔵するためのタンクで、他は粉末イオン交換樹脂を貯蔵するためのタンクである。除染工事から発生する使用済み粒状イオン交換樹脂は、現在、除染工事専用のタンクに移送しているが、除染工事の回数が増えるために専用タンクの貯蔵量が限界に達し、他の使用済みイオン交換樹脂貯蔵タンクに移送する必要が生じる可能性がある。将来的には、空き容量の大きい使用済み粉末イオン交換樹脂貯蔵タンクに移送するという作業も想定される。この場合、粒状のままでは受け入れができないという課題がある。
【０００８】
除染工事が終了すると、除染装置に付帯する脱塩装置に充填された粒状イオン交換樹脂は抜き出され、専用の使用済み粒状イオン交換樹脂貯蔵タンクに移送される。使用済み粒状イオン交換樹脂は水と一緒にスラリー状で移送されるが、貯蔵タンクまでの移送距離が長い場合、バルブやエルボなど固形物が溜まり易い部位があるために途中で使用済み粒状イオン交換樹脂が沈降堆積し、作業員の被曝が大きくなる等の課題がある。
【０００９】
将来的には粒状および粉末イオン交換樹脂は酸化分解処理や焼却処理などの減容処理が必要となるが、これらの処理を行う場合、粒状イオン交換樹脂では装置へのポンプ移送が難しいことや粒状であるために処理（分解）時間が長い等の課題がある。
【００１０】
そこで、本発明は、イオン交換樹脂の移送性または貯蔵性を改善することを目的とする。
【課題を解決するための手段】
【００１１】
上記目的を達成するため、本発明は、使用済みイオン交換樹脂を細粒化する使用済みイオン交換樹脂の処理方法において、前記使用済みイオン交換樹脂を処理タンクに注入する注入工程と、前記処理タンクに蓄えられた前記使用済みイオン交換樹脂を攪拌する攪拌工程と、前記処理タンクから前記使用済イオン交換樹脂を受け取ってエマルジョン化することによって前記使用済みイオン交換樹脂の粒子径を小さくする乳化分散工程と、前記乳化分散工程でエマルジョン化された前記使用済みイオン交換樹脂を貯蔵タンクに排出する排出工程と、を有することを特徴とする。
【００１２】
また、本発明は、使用済みイオン交換樹脂を細粒化する使用済みイオン交換樹脂細粒化システムにおいて、処理タンクと、前記使用済みイオン交換樹脂を前記処理タンクに注入する注入配管と、前記処理タンクに蓄えられた前記使用済みイオン交換樹脂を攪拌する攪拌機と、前記処理タンクから前記使用済イオン交換樹脂を受け取ってエマルジョン化することによって前記使用済みイオン交換樹脂の粒子径を小さくする乳化分散機と、前記乳化分散機でエマルジョン化された前記使用済みイオン交換樹脂を貯蔵タンクに排出する排出配管と、を有することを特徴とする。
【００１３】
また、本発明は、原子力発電所内で行われる除染工事に用いられる除染装置において、イオン交換樹脂が充填されている脱塩装置と、処理タンク、前記脱塩装置から取り出された使用済みイオン交換樹脂を前記処理タンクに注入する注入配管、前記処理タンクに蓄えられた前記使用済みイオン交換樹脂を攪拌する攪拌機、および、前記処理タンクから前記使用済イオン交換樹脂を受け取ってエマルジョン化することによって前記使用済みイオン交換樹脂の粒子径を小さくする乳化分散機を備えて、前記使用済みイオン交換樹脂を細粒化するイオン交換樹脂細粒化システムと、前記イオン交換樹脂細粒化システムから前記使用済みイオン交換樹脂を貯蔵する貯蔵タンクに延びる排出配管と、を有することを特徴とする。
【００１４】
また、本発明は、原子力発電所において、原子炉と、前記原子炉で発生した蒸気によって駆動される発電タービンと、前記発電タービンを駆動した前記蒸気を、前記原子炉に供給される冷却水へと凝縮する復水器と、イオン交換樹脂が充填されていて前記冷却水を浄化する水処理手段と、処理タンク、前記水処理手段から取り出された使用済みイオン交換樹脂を前記処理タンクに注入する注入配管、前記処理タンクに蓄えられた前記使用済みイオン交換樹脂を攪拌する攪拌機、および、前記処理タンクから前記使用済イオン交換樹脂を受け取ってエマルジョン化することによって前記使用済みイオン交換樹脂の粒子径を小さくする乳化分散機を備えて、前記使用済みイオン交換樹脂を細粒化するイオン交換樹脂細粒化システムと、前記イオン交換樹脂細粒化システムから前記使用済みイオン交換樹脂を貯蔵する貯蔵タンクに延びる排出配管と、を有することを特徴とする。
【００１５】
また、本発明は、イオン交換樹脂を充填した既存の脱塩装置、および、前記脱塩装置から取り出される使用済みイオン交換樹脂を貯蔵する貯蔵タンクに前記脱塩装置から延びる既存の排出配管を備えた除染装置の改造方法において、前記排出配管の一部を切断する工程と、処理タンク、前記使用済みイオン交換樹脂を前記処理タンクに注入する注入配管、前記処理タンクに蓄えられた前記使用済みイオン交換樹脂を攪拌する攪拌機、および、前記処理タンクから前記使用済イオン交換樹脂を受け取ってエマルジョン化することによって前記使用済みイオン交換樹脂の粒子径を小さくする乳化分散機とを備えて、前記使用済みイオン交換樹脂を細粒化するイオン交換樹脂細粒化システムを設置する工程と、切断された前記排出配管の前記脱塩装置側に前記注入配管を接続する工程と、切断された前記排出配管の前記貯蔵タンク側に前記乳化分散機を接続する工程と、を有することを特徴とする。
【００１６】
また、本発明は、イオン交換樹脂が充填されて原子炉の冷却水を浄化する既存の水処理手段、および、前記脱塩装置から取り出される使用済みイオン交換樹脂を貯蔵する貯蔵タンクに前記脱塩装置から延びる既存の排出配管を備えた原子力発電所の改造方法において、前記排出配管の一部を切断する工程と、処理タンク、前記使用済みイオン交換樹脂を前記処理タンクに注入する注入配管、前記処理タンクに蓄えられた前記使用済みイオン交換樹脂を攪拌する攪拌機、および、前記処理タンクから前記使用済イオン交換樹脂を受け取ってエマルジョン化することによって前記使用済みイオン交換樹脂の粒子径を小さくする乳化分散機とを備えて、前記使用済みイオン交換樹脂を細粒化するイオン交換樹脂細粒化システムを設置する工程と、切断された前記排出配管の前記水処理手段側に前記注入配管を接続する工程と、切断された前記排出配管の前記貯蔵タンク側に前記乳化分散機を接続する工程と、を有することを特徴とする。
【発明の効果】
【００１７】
本発明によれば、イオン交換樹脂の移送性または貯蔵性を改善することができる。
【発明を実施するための最良の形態】
【００１８】
本発明に係る使用済みイオン交換樹脂の処理方法およびイオン交換樹脂細粒化システムの実施形態を、図面を参照して説明する。なお、同一または類似の構成には同一の符号を付し、重複する説明は省略する。
【００１９】
［実施形態１］
図２は、本発明に係る実施形態１の使用済みイオン交換樹脂の処理の流れを示すブロック図である。
【００２０】
原子力発電所内で行われる除染工事においては、除染装置１が用いられる。除染装置１にはイオン交換樹脂塔２が含まれており、このイオン交換樹脂塔２には、粒状のイオン交換樹脂が充填されている。除染工事が終了した後などに、粒状の使用済みイオン交換樹脂は、イオン交換樹脂塔２から配管４を介して使用済みイオン交換樹脂細粒化システム１１に送られる。使用済みイオン交換樹脂細粒化システム１１は、使用済みの粒状のイオン交換樹脂を粉末状のイオン交換樹脂に細粒化する。細粒化された使用済みのイオン交換樹脂は、使用済みイオン交換樹脂細粒化システム１１から、排出配管２５を介して粉末イオン交換樹脂貯蔵タンク１０に排出される。
【００２１】
図１は、本発明に係る実施形態１の使用済みイオン交換樹脂細粒化システムのブロック図である。
【００２２】
使用済みイオン交換樹脂細粒化システム１１は、処理タンク１２を有している。除染装置１などから排出される粒状の使用済みイオン交換樹脂は、まず処理タンク１２に受け入れられる。この処理タンク１２の周囲はジャケット２０で囲まれていて、ジャケット２０には冷却装置１３から送られる冷却水が循環している。ジャケット２０と冷却装置１３の間は、冷却水配管２１で接続されている。
【００２３】
処理タンク１２の底部は、取り出し配管２４を介して乳化分散機１４に接続されている。乳化分散機１４はポンプ機能も有している。乳化分散機１４には、粉末イオン交換樹脂貯蔵タンク１０まで延びる排出配管２５が接続されている。排出配管２５の途中には、切り替えバルブ２６が取り付けられていて、切り替えバルブ２６には、処理タンク１２に延びる再注入配管２３が接続されている。
【００２４】
また、使用済みイオン交換樹脂細粒化システム１１には、処理タンク１２に蓄えられたものを攪拌するための攪拌機１５が取り付けられている。攪拌機１５は、たとえば処理タンク１０の内部に位置するプロペラとそのプロペラを回転させるためのモータなどを有している。
【００２５】
なお、使用済みイオン交換樹脂細粒化システム１１を除染装置１に組み込んでもよい。
【００２６】
除染装置１から排出される粒状の使用済みイオン交換樹脂は、まず、処理タンク１２に受け入れられる。処理タンク１２に受け入れる使用済みイオン交換樹脂は、スラリー状である。したがって、そのまま放置すると比重の大きいイオン交換樹脂が沈降する。そこで、攪拌機１５によって処理タンク１２に蓄えられたスラリーを攪拌し、スラリー状に保つようになっている。
【００２７】
乳化分散機１４は水と油を高速に混合してエマルジョン化する装置であり、スラリー状のイオン交換樹脂は乳化分散機１４に通すことで粉末イオン交換樹脂程度に細粒化する。また、乳化分散機１４には、スラリーや液体を移送するポンプ機能があり、スラリー状のイオン交換樹脂は排出配管２５に排出される。
【００２８】
乳化分散機１４を一度通すだけでは、十分に細粒化しない場合もある。その場合には、切り替えバルブ２６によって、乳化分散機１４を通ったイオン交換樹脂を含んだスラリーを、再び処理タンク１２に戻し、再度攪拌し、乳化分散機１４を通す。このような循環処理を適当な回数行うことによって、十分細粒化することができる。
【００２９】
また、使用済みイオン交換樹脂を含んだスラリーの循環処理を続けると、乳化分散機１４などからの入熱によってイオン交換樹脂を含んだスラリーの温度が上昇するため、処理タンク１２を取り囲むジャケット２０には冷却装置１３によって冷却水が循環している。このように冷却水が循環することによって、処理タンク１２内のイオン交換樹脂を含むスラリーの温度は約６０℃以下に保たれるように調節される。約６０℃以下にすることで、温度上昇による陰イオン交換樹脂のイオン交換基（トリメチルアミン）の蒸散を防ぐことができる。
【００３０】
図３は、この使用済みイオン交換樹脂細粒化システム１１で細粒化したイオン交換樹脂の粒径分布を示すグラフである。
【００３１】
図３で示すように、使用済みイオン交換樹脂細粒化システム１１で細粒化したイオン交換樹脂の粒径分布は、約１００μｍにピークを持ち、市販の粉末イオン交換樹脂の粒径分布と同様となる。
【００３２】
本実施形態によれば、使用済みの粒状イオン交換樹脂を粉末イオン交換樹脂程度に細粒化することができるため、粒状イオン交換樹脂貯蔵タンクの空き容量がない場合に粉末イオン交換樹脂タンク１０に移送することが可能となる。また、粒子径を小さくしたことで水への分散性が良くなり、ポンプによる移送が容易になり、長距離の移送も可能となる。
【００３３】
［実施形態２］
図４は、本発明に係る実施形態２の使用済みイオン交換樹脂の処理の流れを示すブロック図である。
【００３４】
本実施形態は、実施形態１の使用済みイオン交換樹脂細粒化システム１１を沸騰水型原子力発電所の復水脱塩装置８で生じる粒状の使用済みイオン交換樹脂の処理に適用したものである。
【００３５】
沸騰水型原子力発電所において、原子炉５で発生する高温高圧の蒸気はタービン・復水器６で水に凝縮され、復水ろ過装置７および復水脱塩装置８で浄化された後、再度原子炉５に供給される。また、原子炉５に供給された水の一部は原子炉冷却水浄化装置９に送られて浄化された後、再度原子炉５に供給される。
【００３６】
原子炉冷却材浄化装置９には粉末イオン交換樹脂が用いられていて、原子炉水に含まれるクラッド分とイオン成分が除去される。原子炉冷却材浄化装置９で使用された使用済みの粉末イオン交換樹脂は、粉末イオン交換樹脂貯蔵タンク１０に排出される。
【００３７】
復水脱塩装置８には、粒状のイオン交換樹脂が充填されていて、水中のイオン成分が除去される。復水脱塩装置８で長期間にわたって水浄化に使用された粒状のイオン交換樹脂は、粒状イオン交換樹脂貯蔵タンク３に排出される。復水脱塩装置８から排出され、粒状イオン交換樹脂貯蔵タンク３に貯蔵された粒状の使用済みイオン交換樹脂は、配管４を介して使用済みイオン交換樹脂細粒化システム１１に送られる。使用済みイオン交換樹脂細粒化システム１１で細粒化された使用済みのイオン交換樹脂は、排出配管２５を介して粉末イオン交換樹脂貯蔵タンク１０へ排出される。
【００３８】
本実施形態によれば、使用済みの粒状イオン交換樹脂を粉末イオン交換樹脂程度に細粒化することができるため、粒状イオン交換樹脂貯蔵タンク３の空き容量がない場合に粉末イオン交換樹脂タンク１０に移送することが可能となる。また、粒子径を小さくしたことで水への分散性が良くなり、ポンプによる移送が容易になり、長距離の移送も可能となる。
【００３９】
［実施形態３］
本実施形態は、実施形態２の使用済みイオン交換樹脂の処理に酸化分解装置１９による処理を追加したものである。
【００４０】
図５は、本発明に係る実施形態３の使用済みイオン交換樹脂の処理の流れを示すブロック図である。
【００４１】
復水脱塩装置８から排出された使用済みの粒状イオン交換樹脂は粒状イオン交換樹脂貯蔵タンク３に排出されて長期間貯蔵される。この使用済みの粒状イオン交換樹脂は酸化分解装置１９に移送する前に、使用済みイオン交換樹脂細粒化システム１１で粉末イオン交換樹脂程度に細粒化される。
【００４２】
図６は、実施形態３の使用済みイオン交換樹脂細粒化システム１１によって細粒化されたイオン交換樹脂の粒径分布（点線３０で示す）と市販の粉末イオン交換樹脂の粒径分布（実線３１で示す）とを比較して示すグラフである。図に示すように、使用済みイオン交換樹脂細粒化システム１１によって、イオン交換樹脂の粒径分布を市販の粉末イオン交換樹脂よりも小さくすることができる。
【００４３】
このように前処理装置として使用済みイオン交換樹脂細粒化システム１１を用いて、細粒化された使用済みイオン交換樹脂を酸化分解装置１９に移送するため、ポンプによる移送が容易になる。また、酸化分解に要する反応時間も短縮することができる。
【００４４】
［実施形態４］
本実施形態は、実施形態１の使用済みイオン交換樹脂細粒化システム１１を沸騰水型原子力発電所の原子炉冷却材浄化装置９で生じる粉末状の使用済みイオン交換樹脂の処理に適用したものである。
【００４５】
図７は、本発明に係る実施形態４の使用済みイオン交換樹脂の処理の流れを示すブロック図である。
【００４６】
沸騰水型原子力発電所において、原子炉冷却材浄化装置９から排出され、粉末イオン交換樹脂タンク１０に貯蔵された粉末状の使用済みイオン交換樹脂を、使用済みイオン交換樹脂処理システム１１によって処理する。処理されてさらに細粒化された粉末状の使用済みイオン交換樹脂は、酸化分解装置１９に移送されて、処理される。
【００４７】
このように前処理装置として使用済みイオン交換樹脂細粒化システム１１を用いて、細粒化された使用済みイオン交換樹脂を酸化分解装置１９に移送するため、ポンプによる移送が容易になる。また、酸化分解に要する反応時間も短縮することができる。
【００４８】
なお、以上の説明は単なる例示であり、本発明は上述の各実施形態に限定されず、様々な形態で実施することができる。たとえば、復水脱塩装置８や原子炉冷却材浄化装置９以外のイオン交換樹脂を用いている水処理手段から排出されるイオン交換樹脂の処理に使用済みイオン交換樹脂細粒化システム１１を用いてもよい。また、各実施形態の特徴を組み合わせて実施することもできる。さらに、使用済みイオン交換樹脂細粒化システムを備えていない除染装置や原子力発電所を改造して、既存の除染装置や原子力発電所に適用することも可能である。
【図面の簡単な説明】
【００４９】
【図１】本発明に係る実施形態１の使用済みイオン交換樹脂細粒化システムのブロック図である。
【図２】本発明に係る実施形態１の使用済みイオン交換樹脂の処理の流れを示すブロック図である。
【図３】本発明に係る実施形態１の使用済みイオン交換樹脂細粒化システムにより細粒化されたイオン交換樹脂の粒子形分布の例を示すグラフである。
【図４】本発明に係る実施形態２の使用済みイオン交換樹脂の処理の流れを示すブロック図である。
【図５】本発明に係る実施形態３の使用済みイオン交換樹脂の処理の流れを示すブロック図である。
【図６】本発明に係る実施形態３の使用済みイオン交換樹脂細粒化システムによって細粒化されたイオン交換樹脂の粒径分布と市販の粉末イオン交換樹脂の粒径分布とを比較して示すグラフである。
【図７】本発明に係る実施形態４の使用済みイオン交換樹脂の処理の流れを示すブロック図である。
【符号の説明】
【００５０】
１…除染装置、２…イオン交換樹脂塔、３…粒状イオン交換樹脂貯蔵タンク、４…配管、５…原子炉、６…タービン・復水器、７…復水ろ過装置、８…復水脱塩装置、９…原子炉冷却材浄化装置、１０…粉末イオン交換樹脂貯蔵タンク、１１…使用済みイオン交換樹脂細粒化システム、１２…処理タンク、１３…冷却装置、１４…乳化分散機、１５…攪拌機、１６…使用済み粒状イオン交換樹脂スラリー、１９…酸化分解装置、２０…ジャケット、２１…冷却水配管、２４…取り出し配管、２５…排出配管、２６…切り替えバルブ
【図１】
0004679377.tif 000002
【図２】
0004679377.tif 000003
【図３】
0004679377.tif 000004
【図４】
0004679377.tif 000005
【図５】
0004679377.tif 000006
【図６】
0004679377.tif 000007
【図７】
0004679377.tif 000008